(57)【要約】【課題】大きさの異なる複数種類の光記録媒体にバランスのよい印刷を実行することができる印刷装置を提供する。【解決手段】印刷装置のケース１には、複数種類の光記録媒体７０ａ〜７０ｃを選択的に装着するトレイ２１が移動可能に設けられ、ケース１の内部には、サーマルヘッド４２を搭載したキャリッジ４１が所定の位置を往復移動して印刷を行なうプリンタ部３５が設けられている。トレイ２１に装着された光記録媒体の種類が媒体検出スイッチで検出され、光記録媒体の種類に応じて設定される印刷領域に対してトレイ２１及びキャリッジ４１を移動させて印刷を行う。【選択図】　　図１
2004025804.tif 000002
【特許請求の範囲】
【請求項１】
大きさが異なる複数の被印刷媒体に印刷を行う印刷装置であって、
印刷装置に装着される被印刷媒体の種類を検出する検出手段と、
前記複数の被印刷媒体のそれぞれに設定する印刷領域に関する情報を予め記憶する記憶手段と、
前記検出手段によって検出された被印刷媒体の種類に対応する印刷領域に関する情報を前記記憶手段から読み出して、該情報に基づいて印刷装置を駆動して該印刷装置に装着された被印刷媒体の印刷領域に印刷を行う制御手段と
を備えたことを特徴とする印刷装置。
【請求項２】
前記複数の被印刷媒体のうちの１つの被印刷媒体を支持する支持手段と、
印刷ヘッドを備え、該印刷ヘッドを駆動して前記支持手段に支持された被印刷媒体に対して印刷を行う印刷手段とを備えるとともに、
前記印刷領域内に印刷を行うべく、前記制御手段によって動作される、少なくとも、前記支持手段に対して前記印刷手段を移動する手段、前記印刷手段に対して前記支持手段を移動する手段及び前記印刷ヘッドに備える複数の印刷素子を選択して駆動する手段のうちのいずれか１つの手段を備えて構成したことを特徴とする請求項１記載の印刷装置。
【請求項３】
前記被印刷媒体は、データを記録可能な記録媒体であることを特徴とする請求項１又は２記載の印刷装置。
【発明の詳細な説明】
【０００１】
【発明の属する技術分野】
この発明は、ＣＤ−Ｒ（Ｃｏｍｐａｃｔ　Ｄｉｓｃ　Ｒｅｃｏｒｄａｂｌｅ）等の記録媒体を被印刷媒体とし、その表面に記録媒体に記録したデータのタイトル等の情報を印刷する印刷装置に関する。
【０００２】
【従来の技術】
本出願人は、先にＣＤ−Ｒ等の光記録媒体のレーベル面にタイトルを印刷する印刷装置を提案した。
【０００３】
この印刷装置は、ＣＤ−Ｒなどの光記録媒体を載置するトレイと、このトレイが装置内の所定位置に収納されたときに、そのトレイ上に沿ってサーマルヘッドを搭載したキャリッジを往復移動してトレイ上に支持された静止状態の光記録媒体に対して熱転写印刷を行なうプリンタ機構とを備えて構成している。この印刷装置では、サーマルヘッドがトレイ上を往復移動する１回の印刷動作によってサーマルヘッドの移動範囲に対応する光記録媒体上の短冊状の領域内に印刷を行うことができる。
【０００４】
【発明が解決しようとする課題】
ＣＤ−Ｒは、直径が１２ｃｍのディスクが一般的に多く使用されているが、データの記録容量は少ないものの、直径が８ｃｍのもの、あるいはカードサイズのもの等、より小型サイズのものも用途に応じて使用されている。ところが、従来の前記印刷装置は、直径が１２ｃｍのディスクのレーベル面に対してバランスよくタイトルの印刷ができるように、プリンタ機構によって実行されるディスク上の印刷領域の位置が決められている。このため、従来の印刷装置に直径８ｃｍのディスクやカード型のものをセットしてタイトル印刷を行おうとしても、レーベル面のサイズや形状の異なる小型ディスクやカード型タイプのものではタイトル文字がレーベル面からはみ出したり欠けたりするなどして、バランスよく印刷を行なうことができないという問題がある。
【０００５】
この発明は、上記課題を解決するためになされたものであり、大きさの異なる複数種類の記録媒体などの被印刷媒体に対して、それらの被印刷媒体に夫々適合する印刷領域を設定して被印刷媒体上にバランスのよい印刷を実行することができる印刷装置を提供することを目的としている。
【０００６】
【課題を解決するための手段】
請求項１に記載の発明は、大きさの異なる複数の被印刷媒体の印刷領域に印刷を行う印刷装置であって、印刷装置に装着される被印刷媒体の種類を検出する検出手段と、前記複数の被印刷媒体のそれぞれに設定する印刷領域に関する情報を予め記憶する記憶手段と、検出手段によって検出された被印刷媒体の種類に対応する印刷領域に関する情報を前記記憶手段から読み出して、該情報に基づいて印刷装置を駆動して該印刷装置に装着された被印刷媒体の印刷領域に印刷を行う制御手段とを備えたことを特徴とする。
【０００７】
請求項２に記載の発明は、請求項１の印刷装置において、前記複数の被印刷媒体のうちの１つの被印刷媒体を支持する支持手段と、印刷ヘッドを備え、該印刷ヘッドを駆動して前記支持手段に支持された被印刷媒体に対して印刷を行う印刷手段とを備えるとともに、前記印刷領域内に印刷を行うべく、前記制御手段によって動作される、少なくとも、前記支持手段に対して前記印刷手段を移動する手段、前記印刷手段に対して前記支持手段を移動する手段及び前記印刷ヘッドに備える複数の印刷素子を選択して駆動する手段のうちのいずれか１つの手段を備えて構成したことを特徴とする。
【０００８】
請求項３に記載の発明は、請求項１又は請求項２の印刷装置において、前記被印刷媒体は、データを記録可能な記録媒体であることを特徴とする。
【０００９】
【発明の実施の形態】
以下、図面を参照しながら本発明の実施の形態について説明する。
【００１０】
図１は本発明の第１の実施形態に係る印刷装置の全体の斜視図であり、図２はその印刷装置の主要部の構成を示す側面図、図３は同じく主要部の構成を示す正面図である。
この印刷装置は装置本体としての縦長の箱形状のケース１を備え、ケース１の底部の両外側面には設置面に対する据わりを安定させるための脚部２が設けられ、ケース１は脚部２を下にして設置面上に縦置きにして設置される。
【００１１】
ケース１の内部にはベース３が設けられ、そのベース３上には被印刷媒体としてのＣＤ−Ｒなどの光記録媒体を支持するトレイ２１が設けられる。また、ケース１の内部には、トレイ２１に支持された光記録媒体の表面（レーベル面）に対してそれらの光記録媒体に記録されたデータに関するタイトル等の印刷を行なうプリンタ部３５が設けられている。
【００１２】
この印刷装置は、外形形状や大きさが異なる複数の光記録媒体に対して印刷可能に構成されており、直径が１２ｃｍのＣＤ−Ｒ（以下、単に光記録媒体又は大ディスクという）７０ａの他に、直径が８ｃｍのＣＤ−Ｒ（以下、単に光記録媒体又は小ディスクという）７０ｂおよびカード形状のＣＤ−Ｒ（以下、単に光記録媒体又はカードタイプという）７０ｃの各ＣＤ−Ｒがトレイ２１に装着可能であり、プリンタ部３５によって各ＣＤ−Ｒに印刷することができる。
【００１３】
トレイ２１は矩形でプレート状のトレイ本体２２を備え、光記録媒体７０ａ、７０ｂ、７０ｃを支持するディスク支持面２３となるトレイ本体２２の一側面には、回転軸２４を中心にして回転可能にして光記録媒体７０ａ、７０ｂ、７０ｃを支持する回転台２５が設けられている。
【００１４】
この回転台２５の表面には緩衝材シート２６が貼設され、その中央部には光記録媒体７０ａ、７０ｂ、７０ｃの円孔７１の内縁に係合する複数の係合爪２７が回転台２５の表面から突出して設けられている。この係合爪２７は光記録媒体７０ａ、７０ｂ、７０ｃのレーベル面上に突出しない程度の突出高を有し、係合爪２７に係合することによって光記録媒体７０ａ、７０ｂ、７０ｃが回転台２５に保持される。
【００１５】
このトレイ２１は、ディスク支持面２３を略垂直向きにしてケース１の内部に配置され、ケース１内の上下の位置でベース３に設けた案内レール４ａ、４ｂに沿って案内されて、装置内外に移動可能に設けられている。
【００１６】
トレイ本体２２の下側の側縁にはラック２８が設けられている一方、ケース１内にはラック２８と噛み合う駆動ギア５およびギア列６を介して駆動ギア５を正逆回転させるステッピングモータ（トレイ駆動モータ）７が設けられている。そして、ケース１の前面パネル８に設けられたイジェクトボタン９の操作によりモータ７が正転駆動されて装置内の収納位置にあるトレイ２１がケース１の前面に形成された開口部１０から装置外に排出され、またイジェクトボタン９の操作によりモータ７が逆転駆動されて装置外に位置するトレイ２１が装置内の収納位置まで移動される。また、後に説明するように、この印刷装置では、トレイ２１に装着される光記録媒体の種類に応じてそれらの光記録媒体に設定される印刷領域の位置をプリンタ部３５に対応させるべく、印刷動作時には制御部の制御によってトレイ駆動モータ７が駆動されて装置内でトレイ２１を所定の位置まで移動するように構成している。
【００１７】
なお、ケース１には、トレイ２１が装置内の収納位置に移動したことを検出する位置検出スイッチ１１が設けられ、またトレイ２１が光記録媒体の着脱が可能な装置外の排出位置まで移動したことを検出する位置検出スイッチ１２が設けられ、この位置検出スイッチ１１，１２の信号に基づいてモータ７の駆動が制御されてトレイ２１がケース１の内外での所定の停止位置に停止するように制御される。これらの位置検出スイッチ１１、１２はトレイ本体２２に設けた不図示のスイッチ操作用の突起部によって作動する。
【００１８】
また、ケース１内には、トレイ２１への光記録媒体の装着の有無と装着された光記録媒体の種類を検出するための３個の媒体検出スイッチ１３、１４、１５が３箇所に設けられている。これらのスイッチ１３、１４、１５は、トレイ２１の回転台２５上に向けて突出するアクチュエータを備え、当該スイッチの位置に対応する回転台２５上の位置に光記録媒体が存在するときに光記録媒体の厚みの分だけアクチュエータが作動してスイッチをＯＮ動作させる。
【００１９】
図６は回転台２５に支持される３種類の光記録媒体７０ａ、７０ｂ、７０ｃとケース１内の所定の３箇所に設けられる３個の媒体検出スイッチ１３、１４、１５との配置の関係を示している。図６のように、トレイ２１に大ディスク７０ａが装着された場合には、３個のスイッチ１３、１４、１５の位置は大ディスク７０ａに対応しているため、全てスイッチがＯＮ状態となる。また、小ディスク７０ｂがトレイ２１に装着された場合には、小ディスク７０ｂに対応する１個のスイッチ１４のみがＯＮ状態となる。カードタイプ７０ｃが装着された場合には、２個のスイッチ１４、１５がＯＮ状態となる。トレイ２１上に光記録媒体が存在しない場合には全てのスイッチがＯＦＦ状態である。
【００２０】
トレイ２１に設けられた回転台２５は、その中心に回転軸２４を有し、この回転軸２４がトレイ本体２２に軸支されており、トレイ本体２２に対して回転可能に構成されている。この回転台２５は、トレイ本体２２のディスク支持面２３の裏面側に設けられたステッピングモータ（回転台駆動モータ）２９を駆動源とし、ギア列３０を介してモータ２９の駆動力が回転軸２４に伝達されることにより時計回りに回転駆動される。
【００２１】
なお、トレイ本体２２には、回転台２５の回転角度を検出してモータ２９の駆動を制御するための回転角度検出スイッチ３１が設けられている。この検出スイッチ３１は回転台２５の外周縁の１８０°対向する２箇所にそれぞれ設けた不図示のスイッチ操作用の突部によって作動され、このスイッチ３１の作動によって回転台２５の停止位置を検出できるようにしている。
【００２２】
また、ケース１内には、トレイ２１のディスク支持面２３側に回転台２５と対向して熱転写プリンタからなるプリンタ部３５が設けられている。
【００２３】
このプリンタ部３５は、ブリッジ形状のプリンタフレーム３６を備え、このプリンタフレーム３６は、両端部に設けられた脚部３７ａ、３７ｂがケース１内のベース３に固定され、脚部３７ａ、３７ｂの間に垂直方向に架け渡して設けられた垂直フレーム部３７ｃが回転台２５の回転中心部からケース１の前面側に偏って配置されている。
【００２４】
このプリンタフレーム３６は、サーマルヘッド４２を搭載したキャリッジ４１を支持すると共に、キャリッジ４１を回転台２５に沿って垂直方向に往復走行させる走行路を形成するものであり、キャリッジ４１を摺動自在に案内するガイドシャフト３８が垂直フレーム部３７ｃと並行して設けられ、また垂直フレーム部３７ｃの回転台２５との対向面側に沿ってキャリッジ４１の走行時にキャリッジ４１に設けられた駆動ギア４４と噛み合うラック３９およびキャリッジ４１を案内するガイドレール４０が設けられている。このキャリッジ４１は、そこに搭載したステッピングモータ（キャリッジ駆動モータ）４３で駆動ギア４４を駆動してラック３９に沿って往復移動する自走方式をとっている。
【００２５】
キャリッジ４１の前面側には熱転写印刷のためのインクリボン６２を収容したリボンカートリッジ６１が装着され、このリボンカートリッジ６１はケース１の前面に設けたプリンタカバー１８を開いて交換が可能になっている。
【００２６】
次に、図４（ａ）、（ｂ）に基づいてプリンタ部３５について更に説明する。
【００２７】
キャリッジ４１の前面にはサーマルヘッド４２が設けられ、キャリッジ４１内には、キャリッジ４１の走行駆動機構、サーマルヘッド４２のヘッド移動機構、インクリボン６２の巻取り機構が設けられ、これら各機構の駆動源となる正逆回転可能なステッピングモータ４３がキャリッジ４１の背面に取り付けられている。
【００２８】
リボンカートリッジ６１は、ケース６３を備え、このケース６３にサーマルヘッド４２を挿入する凹部６４が形成されている。ケース６３内にはリボン供給コア６５とリボン巻取りコア６６とが設けられ、リボン供給コア６５から繰り出されたインクリボン６２が複数のガイドピン６７にガイドされサーマルヘッド４２が位置する凹部６４を経て巻取りコア６６に巻き取られるようになっている。
【００２９】
キャリッジ４１内には、ステッピングモータ４３の出力軸に取り付けられた出力ギア４５が配置され、この出力ギア４５に大径ギア４６ａが噛合し、この大径ギア４６ａと同一軸的に設けた小径ギア４６ｂがラック３９と噛合する駆動ギア４４に噛合し、この駆動ギア４４がリボン巻取りギア４７に噛合し、リボン巻取りギア４７の回転軸に同一軸的にワンウエイクラッチ（図示せず）を介してリボン巻取り軸４８が設けられ、このリボン巻取り軸４８がキャリッジ４１の前面に突出してリボンカートリッジ６１の巻取りコア６６が係合するようになっている。なお、大径ギア４６ａと小径ギア４６ｂのそれぞれの対向面には軸から半径方向に等距離にして１個の係合部が設けられており、モータ４３の回転が逆転するときに大径ギア４６ａが所定の角度だけ回転してその係合部が小径ギア４６ｂの係合部に係合するまでの間は大径ギア４６ａから小径ギア４６ｂへの回転駆動を伝達しない駆動遅延機構が設けられている。
【００３０】
また、キャリッジ４１内にはカムギア４９が設けられ、このカムギア４９にはその回転中心に対して偏心する円弧状のカム溝５０が形成されている。そしてカムギア４９と出力ギア４５との間に首振りクラッチ５１が設けられている。
【００３１】
この首振りクラッチ５１は、出力ギア４５に噛合した太陽ギア５２と、この太陽ギア５２に噛合し、かつアーム５３を介して太陽ギア５２の周方向に移動可能に支持された一対の遊星ギア５４ａ，５４ｂとからなり、太陽ギア５２の正回転時（時計回りの回転時）には一方の遊星ギア５４ａがカムギア４９に噛合するとともに他方の遊星ギア５４ｂがカムギア４９から離れ、太陽ギア５２の逆回転時（反時計回りの回転時）には一方の遊星ギア５４ａがカムギア４９から離れるとともに他方の遊星ギア５４ｂがカムギア４９に噛合するようになっている。
【００３２】
キャリッジ４１内にはサーマルヘッド４２が取り付けられたヘッドアーム５５がシャフト５６を中心にして回動可能に設けられ、一端側に張設されたスプリング５７により反時計回りに付勢されている。また、このヘッドアーム５５にはその一端寄りにピン５８が設けられ、このピン５８が前記カムギア４９のカム溝５０内に摺動自在に挿入されている。
【００３３】
次に、プリンタ部３５の動作について説明する。
【００３４】
まず、図４（ａ）に示すサーマルヘッド４２が非印刷位置にあるヘッドアップの状態で、モータ４３が正転駆動されると、出力ギア４５と噛合する首振りクラッチ５１の太陽ギア５２が回転し、一方の遊星ギア５４ａがカムギア４９に接近してそれに噛合し、これにより太陽ギア５２の回転動力がカムギア４９に伝達されてこのカムギア４９が時計回りに回転し、ヘッドアーム５５がシャフト５６を中心にして反時計回りに回動して図４（ｂ）に示すように印刷位置にヘッドダウンする。大径ギア４６ａと小径ギア４６ｂの間には駆動遅延機構が設けられており、ヘッドヘッドダウンの間は大径ギア４６ａから小径ギア４６ｂへの駆動は伝達されないように構成されている。ヘッドヘッドダウンが完了すると、大径ギア４６ａから小径ギア４６ｂへも駆動が伝達され、出力ギア４５が反時計回りに回転し、ラック３９と噛合している駆動ギア４４の反時計回りの回転によりキャリッジ４１がガイドシャフト３８およびガイドレール４０に沿って垂直下方に向けて走行し、リボン巻取りギア４７の回転によりリボン巻取り軸４８がリボン巻取り方向に回転して供給コア６５から繰り出されるインクリボン６２が巻取りコア６６に順次巻き取られる。
【００３５】
また、カムギア４９の周縁の一部には欠落部（図示せず）が形成されており、カムギア４９が一定の角度だけ回転したときに、その欠落部内に前記遊星ギア５４ａが落ち込んで空転し、これによりサーマルヘッド４２はヘッドダウンした印刷位置に保持される。
【００３６】
モータ４３が更に正転駆動されると、遊星ギア５４ａは欠落部内に位置するため、サーマルヘッド４２が印刷位置に保持されたままで、キャリッジ４１が走行路を垂直下方に移動しつつインクリボン６２の巻取りが行われる。そして、キャリッジ４１の移動とインクリボン６２の巻取りと同時に、印刷データに基づいてサーマルヘッド４２の発熱素子が発熱駆動されてインクリボン６２のインクが順次溶融され、光記録媒体７０ａの表面に熱転写されて光記録媒体７０ａの表面におけるサーマルヘッド４２の移動範囲に対応する所定の印刷領域にタイトルなどの印刷が行われる。
【００３７】
また、図４（ｂ）の状態からモータ４３が逆転駆動されると、出力ギア４５の逆回転により首振りクラッチ５１の太陽ギア５２が逆回転し、これにより一方の遊星ギア５４ａがカムギア４９から離れるとともに、他方の遊星ギア５４ｂがカムギア４９に接近して噛合し、この噛合により太陽ギア５２の回転動力がカムギア４９に伝達されてこのカムギア４９が反時計回りに逆回転する。このカムギア４９の逆回転により、ヘッドアーム５５がシャフト５６を中心にして時計方向に回動して図４（ａ）に示す印刷待機位置にヘッドアップがなされる。なお、カムギア４９の周縁の一部には遊星ギア５４ｂに対応して欠落部（図示せず）が形成されており、カムギア４９が一定の角度だけ回転してサーマルヘッド４２が印刷待機位置に戻ったときに、その欠落部内に前記遊星ギア５４ｂが落ち込んで空転するようになっている。
【００３８】
サーマルヘッド４２がヘッドアップするまでの間は、大径ギア４６ａから小径ギア４６ｂへの駆動が伝達されず、ヘッドアップの後に出力ギア４５の逆方向（時計回り）の回転に伴って駆動ギア４４も時計回りに逆回転し、キャリッジ４１がガイドシャフト３８およびガイドレール４０に沿って垂直上方へ移動する。このとき、リボン巻取りギア４７はワンウエイクラッチを介してリボン巻取り軸４８に連結されているため、リボン巻取り軸４８へは回転が伝達されない。
【００３９】
また、図４（ａ）のヘッドアップ状態でモータ４３が逆転駆動された場合も、同様にしてヘッドアップ状態を保持したままキャリッジ４１がガイドシャフト３８およびガイドレール４０に沿って垂直上方へ移動することになる。
【００４０】
図１に戻って、破線で示す回転台２５上の領域Ｐは、トレイ２１がケース１内の所定の収納位置に収納されたときに、サーマルヘッド４２が回転台２５の上に沿って移動する範囲であり、この短冊状の範囲が光記録媒体に対する印刷領域となる。この短冊状の領域Ｐの幅Ｗはサーマルヘッド４２の発熱素子列の幅に対応し、長さＬはサーマルヘッド４２の移動可能な距離である。
【００４１】
また、図１において、Ａ１、Ａ２、Ｂ１，Ｂ２、Ｃ１、Ｃ２はプリンタ部３５によって行なわれる各光記録媒体７０ａ、７０ｂ、７０ｃの印刷領域を示している。この印刷装置では、１回又は２回の印刷動作によってタイトル印刷を行なうものであり、例えば、大ディスク７０ａに１回の印刷動作で印刷領域Ａ１に対してタイトル印刷を行い、あるいは２回の印刷動作で印刷領域Ａ１、Ａ２の２箇所にタイトル印刷を行なう。印刷領域Ａ１とＡ２とは円孔７１を挟んだ対称位置にあり、この２箇所に印刷を行う場合には、１回目の領域Ａ１の印刷後に回転台駆動モータ２９を駆動して回転台２５を１８０°回転させプリンタ部３５に領域Ａ２を対応させる。回転台駆動モータ２９を駆動源とする回転台２５の回転駆動機構は２箇所目の印刷位置をプリンタ部３５に位置合わせするためのものであり、１回目の印刷が終了し２回目の印刷を開始する前に駆動し、プリンタ部３５の印刷実行中は回転台２５上で光記録媒体を静止状態で保持するべく、動作は停止している。
【００４２】
次に、図５（ａ）、（ｂ）、（ｃ）はトレイ２１に複数種類の光記録媒体７０ａ、７０ｂ、７０ｃが装着されたときの各印刷領域の位置とプリンタ部３５との関係を示すものである。図５では、トレイ２１が位置検知スイッチ１１によって位置が定められる装置内の最も奥側の収納位置に引き込まれたときのトレイ２１上での各光記録媒体の位置を示している。
【００４３】
前述のように、トレイ２１はケース１に対して移動可能に設けられているが、プリンタ部３５は装置内の所定の位置に固定して設けられ、サーマルヘッド４２の移動可能な範囲も所定の位置に定められている。図５において、大ディスク７０ａの印刷領域Ａ１は幅がＷで長さがＬ１であり、小ディスク７０ｂの印刷領域Ｂ１は幅がＷで長さがＬ２であり、カードタイプ７０ｃの印刷領域Ｃ１は幅がＷで長さがＬ３である。各印刷領域Ａ１、Ｂ１、Ｃ１の幅Ｗは、サーマルヘッド４２の発熱素子列の幅に対応する有効印刷幅Ｗと等しくなっている。また、各印刷領域の長さはＬ１が一番長く、以下、Ｌ３、Ｌ２の順に短くなっている。前述のサーマルヘッド４２の移動可能距離ＬはＬ１より大きい。また、図５において、７１はトレイ２１およびトレイ２１上に装着された各光記録媒体７０ａ〜７０ｃのケース１に対する移動方向の中心線を示し、この中心線７１は各光記録媒体７０ａ〜７０ｃの印刷領域Ａ１、Ｂ１、Ｃ１の長さ方向の中心線でもある。また、７２ａ、７２ｂ、７２ｃは各光記録媒体７０ａ〜７０ｃの印刷領域の幅方向の中心線であり、トレイ２１の移動方向の中心線７１に直交する。７２ａは印刷時にキャリッジ４１の移動に伴ってトレイ２１上を移動するサーマルヘッド４２の幅（有効印刷幅）の中心線でもある。ａ、ｂはそれぞれ中心線７２ａから中心線７２ｂ、７２ｃまでの距離を示す。ここでは、ａがｂより小さい。
【００４４】
図５に図示のように、大ディスク７０ａの印刷領域Ａ１の幅方向の中心線はサーマルヘッド４２の幅方向の中心線と一致しており、大ディスク７０ａへの印刷はトレイ２１が装置内の最も奥側に引き込まれた所定の収納位置にあるときに行われる。また、小ディスク７０ｂの印刷領域Ｂ１の幅方向の中心は、サーマルヘッド４２の幅の中心の移動線７２ａから装置外側に向けてａだけ離れた距離にあるため、その分だけトレイ２１を収納位置から装置外側に向けて移動させた位置で印刷を行う。またカードタイプ７０ｃは印刷領域Ｃ１の幅方向の中心線７２ｃはサーマルヘッド４２の幅の中心の移動線７２ａから装置外側にｂだけ離れた距離にあるため、その分だけトレイ２１を収納位置から装置外側に向けて移動させて印刷を行う。
【００４５】
また、図５において、中心線７１と中心線７２ａの交わる位置がプリンタ部３５のサーマルヘッド４２のホームポジションとなっている。プリンタ部３５はキャリッジ４１が上方から下方に移動するときにサーマルヘッド４２を駆動して印刷を行なう。従って、印刷領域Ａ１はホームポジションからＬ１／２上方に印刷開始位置があり、そこからＬ１の長さだけ下方に印刷終了位置がある。同様に、印刷領域Ｂ１の印刷開始位置はホームポジションからＬ２／２上方で印刷終了位置は開始位置からＬ２下方であり、印刷領域Ｃ１の印刷開始位置はホームポジションからＬ３／２上方で印刷終了位置は開始位置からＬ３下方である。
【００４６】
なお、各光記録媒体７０ａ〜７０ｃに対して２回目の印刷動作によって印刷を行う印刷領域Ａ２、Ｂ２、Ｃ２は、１回目の印刷領域Ａ１、Ｂ１、Ｃ１と円孔に対して対称の位置関係にある。
【００４７】
図７は本実施形態に係る印刷装置の電子回路の構成を示している。この印刷装置は制御部７０を備え、この制御部８０にはインターフェイス（Ｉ／Ｆ）８１を介してＵＳＢケーブル８２によりパーソナルコンピュータ８３に接続されている。
【００４８】
制御部８０は、ＲＯＭ８４及びＲＡＭ８５を備え、ＲＯＭ８４には、外部のパーソナルコンピュータ８３からの印刷制御信号に応じて印刷装置の各部の動作を制御するためのシステムプログラムなどのプログラムデータが格納され、また光記録媒体の種類に応じてそれらに設定する印刷領域に関する位置のデータを格納する印刷領域位置情報格納領域８４ａが設けられる。図８はそのデータを示している。図示のように、光記録媒体に対応する、データ１（トレイの移動量データ）、データ２（ホームポジションから印刷開始位置までのキャリッジの移動量データ）、データ３（印刷開始位置から印刷終了位置までのキャリッジの移動量データ）の各データで構成される。また、ＲＡＭ８５には、パーソナルコンピュータ８３から送信される印刷データを格納するためのメモリなどが備えられている。
【００４９】
また、制御部８０には、イジェクトスイッチ９、トレイ位置検知スイッチ１１、１２、トレイ回転位置検知スイッチ１３、媒体検知スイッチ１４、１５、１６、キャリッジ４１のホームポジション位置を検出するスイッチ１９がそれぞれ接続され、その各出力信号が制御部８０に供給されるようになっている。
【００５０】
そして、制御部８０には、駆動回路８６を介してトレイ駆動モータ７が、駆動回路８７を介して回転台駆動モータ２９が、駆動回路８８を介してキャリッジ駆動モータ４３が、駆動回路８９を介してサーマルヘッド４２が、それぞれ接続されている。
【００５１】
図９は印刷装置の印刷処理を示すフローチャートである。
【００５２】
パーソナルコンピュータ８３で作成編集された光記録媒体のレーベル面に印刷すべき印刷データ、印刷箇所数のデータおよび印刷開始命令が印刷装置に転送され、転送を受けたデータがＲＡＭ８５に格納される（ステップＳ１）。
【００５３】
まず、媒体検出スイッチ１４，１５，１６の動作状態を検出し、それに基づいてトレイ２１に装着された光記録媒体の種類が判断される（ステップＳ２、Ｓ３）。
【００５４】
以下、トレイ２１に直径１２ｃｍの大ディスク７０ａが装着されていると判断された場合は、ＲＡＭ８４の印刷領域位置情報格納領域８４ａから大ディスク７０ａに対応するデータを読み出し（ステップＳ４）、キャリッジ駆動モータ４３を逆転駆動してホームポジションに停止しているキャリッジ４１をＬ１／２だけ上方の大ディスク７０ａの印刷開始位置に移動する（ステップＳ５）。
【００５５】
その後、キャリッジ駆動モータ４３を正転駆動すると、まずサーマルヘッド４２がヘッドダウンして大ディスク７０ａのレーベル面に当接し、遅れてキャリッジ４１の移動とインクリボンの巻取りが始まるので、これに合わせてサーマルヘッド４２が駆動され、キャリッジ４１の下方への移動距離Ｌ１の間に１回目の印刷データに基づいて印刷が行われる（ステップＳ６、Ｓ７）。印刷開始位置からＬ１の距離だけ移動した印刷終了位置までサーマルヘッド４２が移動して１回目の印刷が終了すると、キャリッジ駆動モータ４３が反転して逆転駆動される。これにより、まずサーマルヘッド４２が印刷動作位置からヘッドアップし、それに続いてキャリッジ４１が上方に向けて移動を始める（ステップＳ７、Ｓ８）。
【００５６】
キャリッジ４２がホームポジションに戻ったことが判断されると（ステップＳ９）、ＲＡＭ８５に設けられる印刷回数を示すカウンタＫがインクリメントされ（ステップＳ１０）、その値が判断されるとともに（ステップＳ１１）、設定される印刷箇所数のデータＮが判断される（ステップＳ１２）。Ｋが１で、Ｎが２の場合には回転台駆動モータ２９が駆動されて回転台２５が１８０°回転する（ステップＳ１３）。これにより、２回目に印刷すべき領域がプリンタ部３５に対応して配置されることになる。
【００５７】
以下、１回目の印刷と同様にして、ステップＳ４ないしステップＳ９の処理を経て２回目の印刷が行なわれると、カウンタＫがインクリメントされてその値が２になると（ステップＳ１０、Ｓ１１）、トレイ駆動モータ７が正転駆動されてトレイ２１は装置外に排出されて処理を終了する（ステップＳ１４、ＥＮＤ）。
【００５８】
ステップＳ１１でＫの値が２と判断されると、２箇所の印刷箇所の全ての印刷が終了したことになり、またステップＳ１２でＮの値が１であると判断された場合には、設定された印刷箇所は１箇所であり、その印刷は終了しているため、いずれの場合にもトレイ駆動モータ７が駆動されてトレイ２１が装置外に排出され、処理を終了する（ステップＳ１４、ＥＮＤ）。
【００５９】
次に、ステップＳ３でトレイ２１に装着された光記録媒体が直径が８ｃｍの小ディスク７０ｂであると判断されると、ＲＡＭ８４の８４ａから小ディスク７０ｂに対応するデータを読み出し（ステップＳ１５）、トレイ駆動モータ７を正転駆動してトレイ２１を装置外に向けてａだけ移動させる。このトレイ２１の移動量はトレイ駆動モータ７のステップ数によって制御される（ステップＳ１６）。
【００６０】
次に、キャリッジ駆動モータ４３を逆転駆動してホームポジションに停止しているキャリッジ４１をＬ２／２だけ上方の小ディスク７０ｂの印刷開始位置に移動する（ステップＳ１７）。その後、キャリッジ駆動モータ４３を正転駆動すると、まずサーマルヘッド４２がヘッドダウンして小ディスク７０ｂのレーベル面に当接し、遅れてキャリッジ４１の移動とインクリボン６１の巻取りが始まるので、これに合わせてサーマルヘッド４２が駆動され、キャリッジ４１の移動距離Ｌ２の間に１回目の印刷データに基づいて印刷が行われる（ステップＳ１８）。
【００６１】
印刷開始位置からＬ２の距離だけ移動した印刷終了位置までサーマルヘッド４２が移動して１回目の印刷が終了すると（ステップＳ１９）、キャリッジ駆動モータ４３を逆転駆動してキャリッジ４１をホームポジションまで戻し（ステップＳ８、Ｓ９）、印刷回数カウンタＫでの印刷回数のカウントと印刷回数及び設定印刷箇所数のチェックの後（ステップＳ１０、Ｓ１１、Ｓ１２）、２回目の印刷が済んでいなければ回転台２５を回転して２回目の印刷領域をプリンタ部３５に位置合わせし（ステップＳ１３）、ステップＳ３に戻って１回目と同様の手順で２回目の印刷処理を行なうことになる。
【００６２】
次に、ステップＳ３でトレイ２１に装着された光記録媒体がカードタイプ７０ｃであると判断されると、ＲＡＭ８４の８４ａからカードタイプ７０ｃに対応するデータを読み出し（ステップＳ２０）、トレイ駆動モータ７を正転駆動してトレイ２１を装置外に向けてｂだけ移動させる（ステップＳ２１）。
【００６３】
次に、キャリッジ駆動モータ４３を逆転駆動してホームポジションに停止しているキャリッジ４１をＬ３／２だけ上方のカードタイプ７０ｃの印刷開始位置に移動する（ステップＳ２２）。その後、キャリッジ駆動モータ４３を正転駆動すると、まずサーマルヘッド４２がヘッドダウンしてカードタイプ７０ｃのレーベル面に当接し、遅れてキャリッジ４１の移動とインクリボン６２の巻取りが始まるので、これに合わせてサーマルヘッド４２が駆動され、キャリッジ４１の下方への移動距離Ｌ３の間に１回目の印刷データに基づいて印刷が行われる（ステップＳ２３）。
【００６４】
印刷開始位置からＬ３の距離だけ移動した印刷終了位置までサーマルヘッド４２が移動して１回目の印刷が終了すると（ステップＳ２４）、キャリッジ駆動モータ４３を逆転駆動してキャリッジ４１をホームポジションまで戻し（ステップＳ８、Ｓ９）、印刷回数カウンタＫでの印刷回数のカウントと印刷回数及び設定印刷箇所数のチェックの後（ステップＳ１０、Ｓ１１、Ｓ１２）、２回目の印刷が済んでいなければ回転台２５を回転して２回目の印刷領域をプリンタ部３５に位置合わせし（ステップＳ１３）、ステップＳ３に戻って１回目と同様の順で２回目の印刷処理を行なうことになる。
【００６５】
この第１の実施の形態に係る印刷装置では、大きさの異なる大ディスク７０ａ、小ディスク７０ｂ、カードタイプ７０ｃの夫々に適合する印刷領域を設定してその印刷領域内に印刷を行うことができ、バランスのよいタイトル印刷をすることができる。
【００６６】
第１の実施の形態に係る印刷装置では、複数種類の光記録媒体に設定する印刷領域の位置に応じて、ケース１内の所定位置でサーマルヘッド４２を往復移動可能に設けたプリンタ部３５に対して、トレイ２１を移動させて各印刷領域内に印刷を行うようにしたが、印刷時には、トレイ２１を装置内の所定の収納位置に固定し、光記録媒体の種類に応じて第１の実施の形態の場合と同じ距離だけプリンタ部３５をトレイ２１に対して移動させてプリンタ部３５を書く光記録媒体の印刷領域に位置合わせするように構成してもよい。
【００６７】
図１０は、第２の実施の形態に係る印刷装置を示す。この印刷装置では、プリンタ部３５のフレーム３６を構成する脚部がベース３に設けた走行レール９０ａ、９０ｂ上を走行可能になっている。ケース１には走行レール９０ａ、９０ｂに沿ってラック９１が設けられる一方で、プリンタ部３５には、そのフレーム３６がケース１内を移動可能なように、不図示のプリンタ部移動モータを駆動源としラック９１と噛み合う駆動ギア９２を備えた移動機構が設けられている。また、プリンタ部３５の位置検出スイッチ９３を備えており、プリンタ部３５が第１の実施形態での配置位置と同じ位置にあるときにこれを検出するようにしている。
【００６８】
この印刷装置では、図８に示す印刷領域の位置に関する情報を保持しており、その情報と位置検出スイッチ９３からの出力に基づいてプリンタ部３５の位置を移動する制御を行う。なお、図１０においては、トレイ２１の移動機構を省略して示してあり、第１の実施の形態と同一の構成には同一の符号を付している。
【００６９】
なお、プリンタ部３５は熱転写プリンタとして説明したが、インクジェットプリンタであってもよい。
【００７０】
また、上記実施形態では、サーマルヘッド４２を移動させるものであったが、例えば、図５に示すＡ１、Ｂ１、Ｃ１の全ての印刷領域をカバーする範囲で多数の発熱素子などの印刷素子を有する印刷ヘッドをケース１内に固定して設け、印刷時には、光記録媒体の種類に係わらず印刷ヘッド及びトレイ２１の位置を固定したままで、媒体検出スイッチ１３、１４、１５による媒体種類の検出情報に基づいてトレイ２１上の光記録媒体の印刷領域に対応する範囲で印刷ヘッドの印刷素子を駆動して印刷を行うようにしてもよい。
【００７１】
【発明の効果】
以上述べたように、本発明の印刷装置によれば、大きさの異なる複数種類の記録媒体などの被印刷媒体に対して、それらの被印刷媒体に夫々適合する印刷領域を設定してその被印刷媒体上に設定された印刷領域内にバランスのよい印刷を実行することができる。
【図面の簡単な説明】
【図１】本発明の第１の実施形態に係る印刷装置の全体の斜視図。
【図２】前記印刷装置の主要部の構成を示す側面図。
【図３】前記印刷装置の主要部の構成を示す正面図。
【図４】前記印刷装置に備えられたプリンタ部の構成を示し、図４（ａ）はサーマルヘッドが印刷待機位置に配置されているときの図、図４（ｂ）はサーマルヘッドが印刷位置に配置されているときの図。
【図５】図５（ａ）、（ｂ）、（ｃ）は複数種類の光記録媒体の印刷領域及びその印刷領域とプリンタ部との位置の関係を示す図。
【図６】複数種類の光記録媒体と媒体検出スイッチとの関係図。
【図７】前記印刷装置の電子回路の構成を示すブロック図。
【図８】印刷領域位置情報の説明図。
【図９】印刷処理を示すフローチャート。
【図１０】本発明の第２の実施形態に係る印刷装置の主要部の構成を示す側面図。
【符号の説明】
１…ケース（装置本体）
４ａ、４ｂ…案内レール
５…駆動ギア
６…ギア列
７…トレイ駆動モータ
９…イジェクトボタン
１０…開口部
１１、１２…位置検出スイッチ
１３、１４、１５…媒体検出スイッチ
１９…プリンタカバー
２１…トレイ
２２…トレイ本体
２３…ディスク支持面
２４…回転軸
２５…回転台
２６…緩衝材シート
２７…係合爪
２８…ラック
２９…回転台駆動モータ
３０…ギア列
３１…回転角度検出スイッチ
３５…プリンタ部
３６…プリンタフレーム
４１…キャリッジ
４２…サーマルヘッド
４３…キャリッジ駆動モータ
４４…駆動ギア
４８…リボン巻取り軸
４９…カムギア
５０…カム溝
５１…首振りクラッチ
５５…ヘッドアーム
５８…ピン
６１…リボンカートリッジ
６２…インクリボン
６４…凹部
６５…リボン供給コア
６６…リボン巻取りコア
７０ａ、７０ｂ、７０ｃ…光記録媒体（被印刷媒体）
８０…制御部
８４…ＲＯＭ
８４ａ…印刷領域位置情報格納領域
８５…ＲＡＭ
【図１】
2004025804.tif 000003
【図２】
2004025804.tif 000004
【図３】
2004025804.tif 000005
【図４】
2004025804.tif 000006
【図５】
2004025804.tif 000007
【図６】
2004025804.tif 000008
【図７】
2004025804.tif 000009
【図８】
2004025804.tif 000010
【図９】
2004025804.tif 000011
【図１０】
2004025804.tif 000012